(57)【要約】【課題】余分な手間を掛けることなく床鳴りを抑制すること。【解決手段】乾式床（１）は、凸部と凹部とが繰り返し設けられた金属製のデッキプレート（１２）と、デッキプレート（１２）の凸部に載置された、ねじの効かない硬質面材（１３）と、硬質面材の上に重ねられた床板（１４）とを備え、デッキプレート（１２）、硬質面材（１３）、および床板（１４）がビス（３）により固定される。ビス（３）は、デッキプレート（１２）の凸部（２１）に螺合する第１ネジ部（４１）と、第１ネジ部の上端に連なり、床板の厚み以上の長さを有する無ネジ部（４３）と、無ネジ部の上端に連なり、床板に螺合する第２ネジ部（４２）と、第２ネジ部の上端に位置する頭部（３２）とを含む。無ネジ部（４３）は、硬質面材の厚み範囲内にのみ位置する。【選択図】図３
2018003342.tif 000002
【特許請求の範囲】
【請求項１】
凸部と凹部とが繰り返し設けられた金属製のデッキプレートと、前記デッキプレートの凸部に載置された、ねじの効かない硬質面材と、前記硬質面材の上に重ねられた床板とを備え、前記デッキプレート、前記硬質面材、および前記床板がビスにより固定される乾式床の構造であって、
前記ビスは、前記デッキプレートの凸部に螺合する第１ネジ部と、前記第１ネジ部の上端に連なり、前記床板の厚み以上の長さを有する無ネジ部と、前記無ネジ部の上端に連なり、前記床板に螺合する第２ネジ部と、前記第２ネジ部の上端に位置する頭部とを含み、
前記ビスの前記無ネジ部は、前記硬質面材の厚み範囲内にのみ位置する、乾式床構造。
【請求項２】
前記ビスは、前記第１ネジ部の下端に位置するドリル部をさらに含み、
前記ドリル部の先端から前記第１ネジ部の上端までの長さは、前記硬質面材の厚みよりも小さい、請求項１に記載の乾式床構造。
【請求項３】
前記硬質面材は、前記床板の厚みよりも大きい厚みを有する、請求項１または２に記載の乾式床構造。
【発明の詳細な説明】
【技術分野】
【０００１】
本発明は、乾式床構造であって、特に、金属製（鋼製）のデッキプレートを備えた乾式床構造に関する。
【背景技術】
【０００２】
床下地部材と床板部材とがビスにより固定された乾式床における床鳴りを防止するために、従来から様々な技術が提案されている。
【０００３】
たとえば特開２０１１−２４７３７５号公報（特許文献１）では、床下から床の下地材を通じてねじ込まれて床の仕上材に至るビスの軸部の内部に接着剤を注入し、軸部の側部に形成された流出孔から、互いに面接触する二層間に接着剤を送り出す技術が提案されている。これにより、施工時におけるビスの締結状態が不十分であるか、経時的に劣化した場合に生じ得る床下地部材と床板部材との相対的なずれが防止される。
【０００４】
なお、ビスを用いた床板の固定構造という観点においては、特開２００７−２９１６１１号公報（特許文献２）では、金属製大引の上に大引断熱材を介して床板が根太レスで設置された床断熱構造において、室内側からねじ込まれるビスが、金属製大引に螺合する先端側のネジ部と、床板と螺合する忌憚側のネジ部と、これらの間に形成された無ネジ部とを備えることが開示されている。ビスをこのような構成とすることで、（床板の浮き上がりを防止するために）ビスの先端側にのみネジ部を設けた場合に比べて、ビスによる固定後に、床面に掛かる荷重により大引断熱材が変形することによる床板の沈み込みや床鳴りを防止することができる。
【先行技術文献】
【特許文献】
【０００５】
【特許文献１】特開２０１１−２４７３７５号公報
【特許文献２】特開２００７−２９１６１１号公報
【発明の概要】
【発明が解決しようとする課題】
【０００６】
事務所系の建物などにおいて、地盤との関係で躯体重量を下げたい場合や、コンクリートが使えない場合に、地上階よりも上の階の床は乾式化されることが多い。乾式床の仕様は複数存在するが、繰り返し凹凸を有する金属製のデッキプレートを床下地部材として用いた乾式床は、軽くて剛性があるため有用である。
【０００７】
デッキプレートを用いた乾式床は、デッキプレートの他に、石膏ボードおよび床板（床仕上面材）を備え、これら三層がビスにより固定（締結）される。このような乾式床においては、一般的に、締結用のビスとしてリーマ付きのねじが用いられる。リーマ付きのねじを用いた場合、木質の床板にルーズホールがあけられるため、ねじの先端がデッキプレートに達した際に、床板の浮き上がりが防止される。
【０００８】
しかしながら、締結用のビスにこのようなリーマ付きのねじを使用した場合、経時変化等により床鳴りが発生するおそれがある。特許文献１では、ビスの軸部内に接着剤を注入して、互いに面接触する二層間に接着剤を送り出す技術が提案されているが、この場合、余分な手間とコストが掛かるため、望ましくない。
【０００９】
なお、特許文献２には、リーマを有さないビスの中央部に、無ネジ部を設けた構成が開示されている。しかしながら、ビスの先端部にのみネジ部を設けた場合における弊害、すなわち大引断熱材の変形を防止するために、床板に厚み範囲内にもネジ部を設けたというものであり、乾式壁を構成する層間のずれに起因した床鳴りを防止するための構成ではない。
【００１０】
本発明は、上記のような課題を解決するためになされたものであって、その目的は、余分な手間を掛けることなく床鳴りを抑制することのできる乾式床構造を提供することである。
【課題を解決するための手段】
【００１１】
この発明のある局面に従う乾式床構造は、凸部と凹部とが繰り返し設けられた金属製のデッキプレートと、デッキプレートの凸部に載置された、ねじの効かない硬質面材と、硬質面材の上に重ねられた床板とを備え、デッキプレート、硬質面材、および床板がビスにより固定される乾式床の構造である。ビスは、デッキプレートの凸部に螺合する第１ネジ部と、第１ネジ部の上端に連なり、床板の厚み以上の長さを有する無ネジ部と、無ネジ部の上端に連なり、床板に螺合する第２ネジ部と、第２ネジ部の上端に位置する頭部とを含む。ビスの無ネジ部は、硬質面材の厚み範囲内にのみ位置する。
【００１２】
ビスは、第１ネジ部の下端に位置するドリル部をさらに含む。ドリル部の先端から第１ネジ部の上端までの長さは、硬質面材の厚みよりも小さいことが望ましい。
【００１３】
好ましくは、硬質面材は、床板の厚みよりも大きい厚みを有する。
【発明の効果】
【００１４】
本発明によれば、余分な手間を掛けることなく床鳴りを抑制することができる。
【図面の簡単な説明】
【００１５】
【図１】本発明の実施の形態に係る乾式床構造を模式的に示す断面図である。
【図２】本発明の実施の形態におけるビスの構造および形状を示す図である。
【図３】本発明の実施の形態に係る乾式床の固定状態における、乾式床の各層とビスの各部との位置関係を模式的に示す断面図である。
【図４】本発明の実施の形態に係る乾式床の施工の際における、乾式床の各層とビスの各部との位置関係を模式的に示す断面図である。
【図５】公知のビスを用いた乾式床の固定状態を模式的に示す断面図である。
【図６】公知のビスを用いた場合に、乾式床の施工の際にビスの遊びが形成される様子を模式的に示す断面図である。
【発明を実施するための形態】
【００１６】
本発明の実施の形態について図面を参照しながら詳細に説明する。なお、図中同一または相当部分には同一符号を付してその説明は繰返さない。
【００１７】
図１を参照して、本実施の形態に係る乾式床１は、デッキプレート１２と、石膏ボード１３と、床板１４とを含む。デッキプレート１２は、金属製の床下地部材であり、建物の躯体を構成する梁１１に固定される。デッキプレート１２は、凸部２１と凹部２２とを繰り返し有している。凸部２１および凹部２２は、同一方向に延在している。凸部２１の天面部２１ａは、デッキプレート１２の上面を構成し、水平方向に延在する。
【００１８】
石膏ボード１３は、水平方向に延在し、デッキプレート１２の凸部２１上に載置される。石膏ボード１３は、石膏を芯材とし両面をボード用原紙で被覆成型した硬質面材である。なお、本実施の形態では、複数枚（たとえば２枚）の石膏ボード１３が上下に重ねられているが、石膏ボード１３は１枚であってもよい。
【００１９】
床板１４は、水平方向に延在し、石膏ボード１３の上面１３ａに重ねられる。床板１４の材質は、たとえば木材である。床板１４の上面１４ａが床面を構成する。以下の説明では、床板１４の上面１４ａを乾式床１の床面１４ａともいう。
【００２０】
本実施の形態では、デッキプレート１２上に、床板１４よりも厚みの大きい硬質の石膏ボード１３が配置される。したがって、乾式床１の遮音性を高めることができる。その意味において、乾式床１は乾式遮音床であるといえる。また、床板１４の施工前に、デッキプレート１２上に配置された面材の踏み抜きを防止することができる。
【００２１】
床板１４、石膏ボード１３、およびデッキプレート１２は、床面１４ａ側からねじ込まれるビス３により締結される。石膏ボード１３はねじが効かない部材であるため、石膏ボード１３を間に挟んだ状態で床板１４とデッキプレート１２とがビス３によりしっかりと締結されることで、これら三層が固定される。
【００２２】
ここで、図５および図６を用いて、公知のビス１０３を用いた乾式床１０１について簡単に説明する。図５には、ビス１０３による乾式床１０１の固定状態が模式的に示されている。図６には、乾式床１０１の施工の際に、ビス１０３がデッキプレート１２に突き当たった状態が示されている。
【００２３】
図５を参照して、乾式床１０１において、床板１４、石膏ボード１３、およびデッキプレート１２は、公知のビス１０３により締結されている。図６に示されるように、ビス１０３は、先端に位置するドリル部１３１と、後端に位置する頭部１３２と、これらの間に位置する軸部１３３とで構成される。ビス１０３は、リーマ（羽根）付きのねじである。そのため、軸部１３３の先端側（ドリル部１３１側）にリーマ部１４１が設けられ、軸部１３３の他部分全体にネジ部１４２が設けられている。
【００２４】
乾式床１０１の施工時にビス１０３をねじ込む際、リーマ部１４１が床板１４にルーズホール１５０をあける。これにより、図６に示すようにビス１０３の先端が金属製のデッキプレート１２に達した際における、床板１４の浮き上がりが防止される。しかし、床板１４にルーズホール１５０があけられるため、図５に示すように、乾式床１０１の固定状態において、床板１４におけるビス１０３の貫通部分に隙間（ビス１０３の遊び）１５１が生じてしまう。そのため、ビス１０３によるデッキプレート１２と床板１４との引き付け力（締結力）には限界がある。
【００２５】
したがって、人の歩行等により床面１４ａへの踏圧が上から加えられた場合、床板１４および石膏ボード１３の双方が下方に撓むため、三層間（デッキプレート１２と石膏ボード１３との間、石膏ボード１３と床板１４との間）に相対ずれが発生する。公知の乾式床１０１においては、このような層間の相対ずれに伴って、床鳴りの要因となる擦れ音が発生していたと考えられる。
【００２６】
そこで、本実施の形態では、このような層間の相対ずれを抑制するために、図２に示すような構成のビス３が用いられている。ビス３は、先端（下端）に位置するドリル部３１と、後端（上端）に位置する頭部３２と、これらの間に位置する軸部３３とを含む。ビス３はリーマ部を有しておらず、ビス３の軸部３３は、第１ネジ部４１と、第２ネジ部４２と、無ネジ部４３とで構成される。
【００２７】
図３に示されるように、乾式床１の固定状態において、第１ネジ部４１はデッキプレート１２の凸部２１に螺合し、第２ネジ部４２は床板１４に螺合する。無ネジ部４３は、第１ネジ部４１の上端および第２ネジ部４２の下端に連なって設けられている。ビス３のドリル部３１は第１ネジ部４１の下端に位置し、ビス３の頭部３２は第２ネジ部４２の上端に位置する。
【００２８】
第１ネジ部４１および第２ネジ部４２のネジ山頂部における外径は、同じである。第１ネジ部４１および第２ネジ部４２の谷部における外径も、同じである。無ネジ部４３の外径は、第１ネジ部４１および第２ネジ部４２のネジ山頂部における外径よりも小さく、かつ、第１ネジ部４１および第２ネジ部４２の谷部における外径よりも大きい。
【００２９】
ビス３の各部の長さの説明に際し、図２に示すように、ドリル部３１の先端（ビス３の先端）から第１ネジ部４１の上端（つまり無ネジ部４３の下端）までの長さ寸法をＬａ、無ネジ部４３の長さ寸法をＬｂ、第２ネジ部４２の下端（つまり無ネジ部４３の上端）から頭部３２の皿面（ビス３の後端）までの長さ寸法をＬＣとする。また、図３および図４に示すように、デッキプレート１２の凸部２１の天面部２１ａの厚み寸法をＬ１、石膏ボード１３全体の厚み寸法をＬ２、床板１４の厚み寸法をＬ３とする。なお、本実施の形態では、乾式床１の遮音性能等を考慮し、Ｌ１＜Ｌ３＜Ｌ２である。
【００３０】
この場合、ビス３の後端側の長さ寸法Ｌｃは、床板１４の厚み寸法Ｌ３以上である。そのため、図３に示すように、固定状態において床板１４の厚み範囲内に無ネジ部４３は存在しない。
【００３１】
また、ビス３の無ネジ部４３の長さ寸法Ｌｂは、石膏ボード１３の厚み寸法Ｌ２よりも小さい。金属製のデッキプレート１２に何らかの面材をねじ固定するに当たり、周知のように、デッキプレート１２の天面部２１ａ全体にねじを螺合させる必要がある。したがって、Ｌｂ＜Ｌ２の関係が成り立つ場合、図３に示すように、固定状態において無ネジ部４３は石膏ボード１３の厚み範囲内にのみ位置する。なお、第１ネジ部４１の長さ寸法は、少なくともデッキプレート１２の天面部２１ａの厚み寸法Ｌ１よりも大きい。
【００３２】
さらに、ビス３の先端側の長さ寸法Ｌａは、石膏ボード１３の厚み寸法Ｌ２よりも小さい。また、無ネジ部４３の長さ寸法Ｌｂは床板１４の厚み寸法Ｌ３よりも大きい。そのため、図４に示すように、ビス３による締結作業の際に、ビス３の先端がデッキプレート１２の天面部２１ａに突き当たった場合に、床板１４の厚み範囲内に無ネジ部４３のみが位置する。したがって、床板１４にリーマ部によるルーズホールをあけていなくても、床板１４の浮き上がりを防止することができる。また、床板１４にビス３の遊び（つまり、第２ネジ部４２の周囲の隙間）が殆ど存在しないため、デッキプレート１２、石膏ボード１３、および床板１４をしっかりと締結することができる。
【００３３】
さらに、固定状態においては、図３に示されるように、床板１４の厚み範囲内には無ネジ部４３が無く、ビス３の頭部３２および第２ネジ部４２だけが位置する。これにより、第１ネジ部４１および第２ネジ部４２がデッキプレート１２の天面部２１ａおよび床板１４それぞれと良好に螺合するため、デッキプレート１２と床板１４との引き付け強度を高めることができる。つまり、ビス３による三層（デッキプレート１２、石膏ボード１３、および床板１４）の締結力を強めることができる。
【００３４】
したがって、乾式床１を構成する三層は断面の一体性が増すため、デッキプレート１２に固定された面材（石膏ボード１３および床板１４）の曲げ剛性を高めることができる。そのため、乾式床１の床面１４ａ上に踏圧等が加わったとしても、これら面材の撓み（変形）が小さくなるため、デッキプレート１２と石膏ボード１３との相対ずれ（変位）、および、石膏ボード１３と床板１４との相対ずれを抑制することができる。その結果、層間の相対ずれに伴う擦れ音が抑制されるため、乾式床１の床鳴りを防止することができる。
【００３５】
以上説明したように、本実施の形態によれば、乾式床１を構成する三層の締結に必要なビスの形状を工夫するだけでよいため、床鳴りを防止するために余計な副資材を要せず、コストを削減することができる。また、ビス３による三層の固定作業は、公知のビス１０３による固定作業と同じであるため、余計な手間も掛からない。
【００３６】
さらに、床鳴りの防止のために接着剤を用いないため、乾式床１の解体を容易に行うこともできる。したがって、乾式床１の構造は、たとえば仮設住宅や期間限定の施設等にも適しており、汎用性が高い。
【００３７】
なお、本実施の形態では、デッキプレート１２と床板１４との間に、ねじの効かない硬質面材として石膏ボード１３が配置されることとしたが、限定的ではない。ねじの効かない硬質面材は、典型的には窯業系材料の面材であればよく、たとえばＡＬＣ（Autoclaved Lightweight aerated Concrete）といった軽量気泡コンクリートや、フレキシブルボードなどが採用され得る。
【００３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３９】
１，１０１  乾式床、３，１０３  ビス、１１  梁、１２  デッキプレート、１３  石膏ボード、１４  床板、２１  凸部、２１ａ  天面部、２２  凹部、３１，１３１  ドリル部、３２，１３２  頭部、３３，１３３  軸部、４１  第１ネジ部、４２  第２ネジ部、４３  無ネジ部、１４１  リーマ部、１４２  ネジ部、１５０  ルーズホール、１５１  隙間。
【図１】
2018003342.tif 000003
【図２】
2018003342.tif 000004
【図３】
2018003342.tif 000005
【図４】
2018003342.tif 000006
【図５】
2018003342.tif 000007
【図６】
2018003342.tif 000008